(57)【要約】【課題】浄水器の目詰まりを防ぎ、浄水器のカートリッジの交換サイクルを伸ばすことができる浄水装置およびそれに用いられるフィルターを提供する。【解決手段】浄水装置１００は、多孔質中空糸膜、ナノ濾過膜、セラミックス、および活性炭から選ばれる濾材の少なくとも一種を内蔵する浄水器１００ａと、該浄水器１００ａの上流側に設置され、水中の不純物の除去を行うフィルター１００ｂとを備え、フィルター１００ｂは、ケース本体１０とケースキャップ２０とベース３０とからなるフィルターケース１と、該フィルターケース１の内部に収納されて、ベース３０に着脱自在に取付け固定されたフィルターエレメント２とを有し、ケースキャップ２０に空気を排出するエアー抜き手段が設けられ、フィルターエレメント２に水中の赤錆等を取り除くための磁石８０と、所定の水圧で開放するリリーフバルブ９０とが設けられる。【選択図】        図１
2011224495.tif 000002
【特許請求の範囲】
【請求項１】
多孔質中空糸膜、ナノ濾過膜、セラミックス、および活性炭から選ばれる濾材の少なくとも一種を内蔵したカートリッジを有する浄水器と、該浄水器の上流側に設置され、水中の不純物の除去を行うフィルターとを備え、
前記フィルターは、中空筒状体のケース本体と該ケース本体の上下両端に着脱自在に取付け固定されたケースキャップとベースとからなるフィルターケースと、該フィルターケースの内部に収納されて、前記ベースに着脱自在に取付け固定されたフィルターエレメントとを有し、
前記ケースキャップまたは前記ベースに空気を排出するエアー抜き手段が設けられ、
前記フィルターエレメントに、水中の赤錆、鉄粉を取り除くための磁石と、所定の水圧で開放するリリーフバルブとが設けられることを特徴とする浄水装置。
【請求項２】
前記磁石は、リング状に形成され、前記フィルターエレメントの端部に設けられ、
前記リリーフバルブは、前記磁石の中央部に配置されることを特徴とする請求項１に記載の浄水装置。
【請求項３】
前記ケース本体は、両端の内周面にネジ部が形成されると共に、外周面にスベリ止めリブが刻設され、
前記ケースキャップとベースとは、ケース本体のネジ部に螺合するためのネジ部が突設されると共に、リングパッケージが装着され、
前記フィルターエレメントは、金網を断面鋸歯状の略波形状に折曲形成し、全体を円筒状に形成した濾材と、２枚の円板体のエレメント端面を、該濾材に上下方向から両端に嵌合して着脱自在に取付け固定してなり、下方のエレメント端面の中心部には、フィルターを通過した水を排出するための開孔が設けられ、該開孔には、同心円に連通したネジ孔を有するナットが、下方のエレメント端面の外側に突設され、
前記ベースの上面に中空管状ボルトが突設され、前記ナットを前記中空管状ボルトに螺合して、前記フィルターエレメントが前記ベースに着脱自在に取付け固定されることを特徴とする請求項１または２に記載の浄水装置。
【請求項４】
前記フィルターエレメントの濾材は、複数層の金属製濾材を断面鋸歯状の略波形状に折曲形成し、全体を円筒状に形成され、かつ複数層の金属製濾材の網目がフィルターエレメントの外側から内側へ順次小さく形成されてなることを特徴とする請求項１乃至３のいずれかに記載の浄水装置。
【請求項５】
中空筒状体のケース本体と該ケース本体の上下両端に着脱自在に取付け固定されたケースキャップとベースとからなるフィルターケースと、該フィルターケースの内部に収納されて、前記ベースに着脱自在に取付け固定されたフィルターエレメントとを備え、
前記ケースキャップまたは前記ベースに空気を排出するエアー抜き手段が設けられ、
前記フィルターエレメントに、水中の赤錆、鉄粉を取り除くための磁石と、所定の水圧で開放するリリーフバルブとが設けられることを特徴とするフィルター。
【請求項６】
前記磁石は、リング状に形成され、前記フィルターエレメントの端部に設けられ、
前記リリーフバルブは、前記磁石の中央部に配置されることを特徴とする請求項５に記載のフィルター。
【請求項７】
前記ケース本体は、両端の内周面にネジ部が形成されると共に、外周面にスベリ止めリブが刻設され、
前記ケースキャップとベースとは、ケース本体のネジ部に螺合するためのネジ部が突設されると共に、リングパッケージが装着され、
前記フィルターエレメントは、金網を断面鋸歯状の略波形状に折曲形成し、全体を円筒状に形成した濾材と、２枚の円板体のエレメント端面を、該濾材に上下方向から両端に嵌合して着脱自在に取付け固定してなり、下方のエレメント端面の中心部には、フィルターを通過した水を排出するための開孔が設けられ、該開孔には、同心円に連通したネジ孔を有するナットが、下方のエレメント端面の外側に突設され、
前記ベースの上面に中空管状ボルトが突設され、前記ナットを前記中空管状ボルトに螺合して、前記フィルターエレメントが前記ベースに着脱自在に取付け固定されることを特徴とする請求項５または６に記載のフィルター。
【請求項８】
前記フィルターエレメントの濾材は、複数層の金属製濾材を断面鋸歯状の略波形状に折曲形成し、全体を円筒状に形成され、かつ複数層の金属製濾材の網目がフィルターエレメントの外側から内側へ順次小さく形成されてなることを特徴とする請求項５乃至７のいずれかに記載のフィルター。
【発明の詳細な説明】
【技術分野】
【０００１】
本発明は、水道水に含まれる赤錆や懸濁物等の不純物、および雑菌類、塩素等を取り除き、衛生的な浄化水を得るための浄水装置およびそれに用いられるフィルターに関するものである。
【背景技術】
【０００２】
近年、水源の汚染の増大や高層住宅やビル等の給水タンク、配管の老朽化などの原因で水道水中の各種の有機物、無機物質による汚染が問題となっている。そのため安全な飲用水・調理用水を得るために中空糸膜と除塩素用の活性炭濾材を備えたカートリッジ（濾過モジュール）を有する浄水器が広く普及している。
【０００３】
このような浄水器では、活性炭層などの除塩素濾材で臭いの原因となっている塩素系イオン等が吸着や分解されて除去され、さらに、中空糸膜により鉄錆や雑菌類が阻止され、安全でおいしい浄水を得ることができる。
【０００４】
また、このような浄水器は、蛇口の上流側の水道管に接続されるのが一般的である（例えば、特許文献１参照）。しかし、濾材を備えたカートリッジを所定の使用期間で交換しなければならない。そのため、近年、取り扱いが簡便で衛生的な交換カートリッジを提供するために、蛇口等に取り付け可能な浄水器も提案されている（例えば、特許文献２参照）。
【０００５】
また、浄水器の処理流量が所定量を超えた際に、カートリッジの交換時期を知らせるライフメーターの付いた家庭用浄水器も提案されている（例えば、特許文献３参照）。
【先行技術文献】
【特許文献】
【０００６】
【特許文献１】特開２００８−８０３１５号公報
【特許文献２】特開平１０−８０６８０号公報
【特許文献３】特開平５−１３８１５９号公報
【発明の概要】
【発明が解決しようとする課題】
【０００７】
しかしながら、上述した特許文献１〜３の浄水器は、濾過膜に目詰り等が生ずると濾過流量が低下するため、カートリッジ（濾過モジュール）の交換が必要となる。それにカートリッジの大型化には限界があり、平均的には数ヶ月〜１年程度の定期交換が必要である。また、浄水性能が高いほどカートリッジが高価になる。交換作業が面倒である問題点があると共に、カートリッジのコストが高いという問題点があった。
【０００８】
また、従来の蛇口に直接取り付けて使用する蛇口直結型浄水器は、交換作業を簡単にすることができるが、頻繁に交換することが必要となる欠点があった。そのため、コストも高くなる。
【０００９】
そこで、本発明は、このような問題点を考慮してなされたもので、浄水器の上流側に水中の赤錆等の不純物を取り除くための再生可能なフィルターを設けることで、浄水器の目詰まりを防ぎ、浄水器のカートリッジの交換サイクルを伸ばすことができる浄水装置およびそれに用いられるフィルターを提供することを目的とする。
【課題を解決するための手段】
【００１０】
上記課題を解決するため、本発明に係る浄水装置は、多孔質中空糸膜、ナノ濾過膜、セラミックス、および活性炭から選ばれる濾材の少なくとも一種を内蔵したカートリッジを有する浄水器と、該浄水器の上流側に設置され、水中の不純物の除去を行うフィルターとを備え、前記フィルターは、中空筒状体のケース本体と該ケース本体の上下両端に着脱自在に取付け固定されたケースキャップとベースとからなるフィルターケースと、該フィルターケースの内部に収納されて、前記ベースに着脱自在に取付け固定されたフィルターエレメントとを有し、前記ケースキャップまたは前記ベースに空気を排出するエアー抜き手段が設けられ、前記フィルターエレメントに、水中の赤錆、鉄粉を取り除くための磁石と、所定の水圧で開放するリリーフバルブとが設けられることを特徴とするものである。
【００１１】
本発明に係るフィルターは、中空筒状体のケース本体と該ケース本体の上下両端に着脱自在に取付け固定されたケースキャップとベースとからなるフィルターケースと、該フィルターケースの内部に収納されて、前記ベースに着脱自在に取付け固定されたフィルターエレメントとを有し、前記ケースキャップまたは前記ベースに空気を排出するエアー抜き手段が設けられ、前記フィルターエレメントに、水中の赤錆、鉄粉を取り除くための磁石と、所定の水圧で開放するリリーフバルブとが設けられることを特徴とするものである。
【００１２】
例えば、前記磁石は、リング状に形成され、前記フィルターエレメントの端部に設けられ、前記リリーフバルブは、前記磁石の中央部に配置される。
【００１３】
また例えば、前記ケース本体は、両端の内周面にネジ部が形成されると共に、外周面にスベリ止めリブが刻設され、前記ケースキャップとベースとは、ケース本体のネジ部に螺合するためのネジ部が突設されると共に、リングパッケージが装着され、前記フィルターエレメントは、金網を断面鋸歯状の略波形状に折曲形成し、全体を円筒状に形成した濾材と、２枚の円板体のエレメント端面を、該濾材に上下方向から両端に嵌合して着脱自在に取付け固定してなり、下方のエレメント端面の中心部には、フィルターを通過した水を排出するための開孔が設けられ、該開孔には、同心円に連通したネジ孔を有するナットが、下方のエレメント端面の外側に突設され、前記ベースの上面に中空管状ボルトが突設され、前記ナットを前記中空管状ボルトに螺合して、前記フィルターエレメントが前記ベースに着脱自在に取付け固定される。
【００１４】
また例えば、前記フィルターエレメントの濾材は、複数層の金属製濾材を断面鋸歯状の略波形状に折曲形成し、全体を円筒状に形成され、かつ複数層の金属製濾材の網目がフィルターエレメントの外側から内側へ順次小さく形成されてなる。
【発明の効果】
【００１５】
本発明によれば、浄水装置は、多孔質中空糸膜、ナノ濾過膜、セラミックス、および活性炭から選ばれる濾材の少なくとも一種を内蔵したモジュールを有する浄水器と、該浄水器の上流側に設置され、水中の不純物の除去を行うフィルターとを備えることで、浄水器の目詰まりを防ぎ、浄水器のカートリッジの交換サイクルを伸ばすことができる。
【００１６】
本発明によれば、フィルターは、ケースキャップとベースとケース本体と濾材及びフィルターエレメントとが、各々着脱自在に組立分解可能に設けられることで、フィルターエレメントの濾材を簡単に取り外すことができ、洗浄して再利用できる。
【００１７】
また、フィルターケースキャップに空気を排出するエアー抜き手段が設けられることで、設置およびメンテナンス後に、内部の空気を排出することが簡単にできる。また、フィルターエレメントに水中の赤錆、鉄粉を取り除くための磁石と、所定の水圧で開放するリリーフバルブとが設けられることで、浄水器の上流で水道水中の赤錆、鉄粉等の不純物を取り除くことができ、浄水器のカートリッジの濾過負荷を減らすことができる。また、フィルターの目詰まり等によりフィルターケースの中が所定圧力になった場合、リリーフバルブが動作し、過圧による水漏れを防ぐことができる。
【００１８】
また、フィルターエレメントの濾材は、複数層の金属製濾材を断面鋸歯状の略波形状に折曲形成し、全体を円筒状に形成され、かつ複数層の金属製濾材の網目がフィルターエレメントの外側から内側へ順次小さく形成されてなることで、所定の濾過精度を確保すると共に、表面強度を保持してフィルターの形状を維持することができる。
【図面の簡単な説明】
【００１９】
【図１】実施の形態の浄水装置１００の構成を示す図である。
【図２】フィルター１００ｂの構成を示す分解図である。
【図３】フィルターエレメント２の構成を示す斜視図である。
【発明を実施するための形態】
【００２０】
以下、本発明に係る浄水装置を実施するための形態を、図を参照して説明する。ここで、住宅用の浄水装置を例として説明する。
【００２１】
図１は、実施の形態の浄水装置１００の構成を示す図である。図１において、浄水器１００ａの概略構成を示し、フィルター１００ｂの断面図を示している。図２は、フィルター１００ｂの構成を示す分解図である。図３は、フィルターエレメント２の構成を示す斜視図である。図３において、フィルターエレメント２の一部を切り抜いた状態を示している。
【００２２】
図１〜図３に示すように、浄水装置１００は、浄水器１００ａと、フィルター１００ｂとから構成されている。浄水器１００ａの入口Ｐ１は配管（水道管）を介してフィルター１００ｂに接続されている。また、浄水器１００ａの出口Ｐ２は、配管（水道管）を介して蛇口Ｋに接続されている。即ち、フィルター１００ｂは、浄水器１００ａの上流側の水道管に接続されている。
【００２３】
浄水器１００ａは、多孔質中空糸膜、ナノ濾過膜、セラミックス、および活性炭から選ばれる濾材の少なくとも一種を内蔵したモジュール１０１を有するものである。この例において、浄水器１００ａには、市販されている住宅用浄水器を利用している。
【００２４】
フィルター１００ｂは、中空筒状体のケース本体１０と該ケース本体１０の上下両端に着脱自在に取付け固定されたケースキャップ２０とベース３０とからなるフィルターケース１と、該フィルターケース１の内部において、ベース３０の上面に着脱自在に取付け固定されたフィルターエレメント２とから構成される。
【００２５】
フィルターケース１のケース本体１０の端部に着脱自在に取付け固定されたケースキャップ２０とベース３０とは、ケース本体１０と共に軽量で強靭なアルミ合金製であり、かつ、ケース本体１０の端部にネジ止め用のネジ部１１，１２が設けられている。そのため、取付け取外しが容易であり，防錆効果も高く反復した再使用が可能である。
【００２６】
ケース本体１０の両端へのケースキャップ２０とベース３０とのネジ止めによる取付け固定の際には、より気密性を高めるためにケースキャップ２０の内側の端面方向及びベース３０の内側の端面方向には、図１に示すように、ゴム製のリングパッケージ２５とリングパッケージ３８とを介在して強固にネジ止めして、高い気密性を得ることができる。
【００２７】
また、フィルターケース１のケース本体１０の外周面にはスベリ止めリブ１３が刻設されている。そのため、フィルターケース１の取付け取外しが容易である。
【００２８】
ケースキャップ２０には、レンチ掛け部２１と、空気を排出するエアー抜き手段とが設けられている。エアー抜き手段として、ケースキャップ２０の中央部にネジ穴２１ａが設けられ、シール２２を介してネジ２３がネジ穴２１ａに螺入される構成とされている。フィルターケース１内部の空気を排出する際に、ネジ２３を緩めて、またはネジ２３を外して空気を排出させる。
【００２９】
ベース３０の側面に水道水入口３１と濾過した水を排出する排出口３２とが設けられている。また、ベース３０の上面中央部において、中空管状ボルト３３が突設され、該中空管状ボルト３３の周辺に複数の貫通孔３４が設けられている。中空管状ボルト３３にはフィルターエレメント２が固定される。濾過した水は中空管状ボルト３３を経由して排出口３２へ導出される。また、貫通孔３４は、水道水をフィルターケース１に導入するための入口となる。また、ベース３０の底面にネジ穴３９ａと、シール３９ｂを介してネジ穴３９ａに螺入されるネジ３９ｃとが設けられている。ここで、ネジ穴３９ａは、排水口となる。また、ベース３０の底面に取付用穴３５を有する４つの取付部３６が設けられている。
【００３０】
フィルターエレメント２は、金属製濾材から形成されたフィルター４０と、中央部に配置されたフィルター保持筒５０と、２枚のステンレス製金属円板体のエレメント端面６０、７０と、エレメント端面６０に設けられたドーナツ状の磁石８０と、リリーフバルブ９０とから構成されている。
【００３１】
フィルター４０は、複数層のステンレス製金網を断面略鋸歯状の略波形状に折曲形成し、全体を円筒状に形成され、かつ複数層の金属製濾材の網目がフィルターエレメント２の外側から内側へ順次小さく形成されてなる。
【００３２】
フィルター４０の網目の大きさとしては２ミクロンから３００ミクロン程度の粒径の範囲の粒子が通過可能な網目の大きさに形成し、さらに、フィルター４０のステンレス製金網は、１枚であっても良いが、さらに濾過機能を高めるために複数枚のステンレス製金網を重ね合わせ、かつ、フィルター４０の網目の大きさをフィルターエレメント２の外側から内側へ向かって順次に小さく形成しておけば，濾過機能も一層向上するという効果がある。図３において、複数枚のステンレス製金網からなるフィルター４０を略して１枚で表示している。
【００３３】
フィルター保持筒５０は、全周面に小孔５１を穿孔してなるステンレス製金属板により中空筒状体に形成され、エレメント端面６０、７０の間に挟持して一体に取付け固定されている。取付方法として、例えば、エレメント端面６０、７０の片方に長ネジを挿通する複数の穴を設け、もう片方に長ネジを螺入する複数のネジ穴を設け、フィルター４０とフィルター保持筒５０をエレメント端面６０、７０の間に挟持して複数の長ネジにより一体に取付け固定する。
【００３４】
エレメント端面６０、７０は、フィルター４０に上下方向から両端に嵌合して着脱自在に取付け固定される。エレメント端面６０には、その外周縁６１を凸設して、該エレメント端面６０に嵌合凹部６２が形成されている。また、エレメント端面６０の中心部には、リリーフバルブ９０を装着するためのネジ穴６３が形成されている。エレメント端面７０の中心部には、フィルター４０を通過した水を排出するための開孔が設けられている。この開孔には、同心円に連通したネジ孔７２を有するナット７１が、該エレメント端面７０の外側に突設されている。
【００３５】
磁石８０は、リング状（ドーナツ状）に形成され、エレメント端面６０の嵌合凹部６２に嵌入して着脱自在に取付け固定されている。なお、磁石８０に取り付け用の貫通孔を穿孔し、エレメント端面６０にボルトを突設しておき、ボルトを該磁石８０の透孔にボルトを挿通してナットにより締め付けるようにしてもよい。この場合、磁石８０がフィルターエレメント２のエレメント端面６０に形成した嵌合凹部６２に、より強固にかつ簡単に着脱自在に取付け固定することができる。磁石８０を設けているため赤錆、鉄粉は磁気により吸着されて水中から除去される。
【００３６】
リリーフバルブ９０は、両端の水圧が予め設定された所定の水圧を超える場合バルブ開放するものであり、エレメント端面６０の中心部に設けられたネジ穴６３に螺入して固定される。なお、リリーフバルブ９０をエレメント端面６０の中心部に直接溶接して固定するようにしてもよい。
【００３７】
フィルターエレメント４０は、フィルターケース１のベース３０の上面に突設した中空管状ボルト３３をエレメント端面７０に突設したナット７１のネジ孔７２と螺合することにより着脱自在に取付け固定されている。しかもベース３０は、フィルターケース１のケース本体１０の端部においてケースキャップ２０と共に各々ネジ部２４とネジ部１１と、ネジ部３７とネジ部１２とが螺合してネジ止めされているから、ネジ止めしたフィルターケース１を旋回してベース３０から取り外すことにより、ベース３０に取付け固定されたフィルターエレメント２を容易に取り外すことができる。
【００３８】
このように本実施の形態においては、浄水装置１００は、多孔質中空糸膜、ナノ濾過膜、セラミックス、および活性炭から選ばれる濾材の少なくとも一種を内蔵したモジュール１０１を有する浄水器１００ａと、該浄水器の上流側に設置され、水中の不純物の除去を行うフィルター１００ｂとを備え、フィルター１００ｂは、中空筒状体のケース本体１０と該ケース本体１０の上下両端に着脱自在に取付け固定されたケースキャップ２０とベース３０とからなるフィルターケース１と、該フィルターケース１の内部に収納されて、ベース３０に着脱自在に取付け固定されたフィルターエレメント２とを有し、ケースキャップ２０に空気を排出するエアー抜き手段が設けられ、フィルターエレメント２に水中の赤錆、鉄粉を取り除くための磁石８０と、所定の水圧で開放するリリーフバルブ９０とが設けられる。
【００３９】
これにより、住宅用の浄水器１００ａの目詰まりを防ぎ、浄水器１００ａのカートリッジ１０１の交換サイクルを伸ばすことができる。
【００４０】
また、フィルター１００ｂのケースキャップ２０に空気を排出するエアー抜き手段が設けられことで、初期設置およびメンテナンス後に、内部の空気を排出することが簡単にできる。また、フィルターエレメント２に水中の赤錆、鉄粉を取り除くための磁石８０と、所定の水圧で開放するリリーフバルブ９０とが設けられることで、上流で水道水中の赤錆、微小鉄粉を取り除くことができ、カートリッジの濾過負荷を減らすことができる。また、フィルターの目詰まり等によりフィルターケース１の中が所定圧力になった場合、リリーフバルブ９０が動作し、過圧による水漏れを防ぐことができる。
【００４１】
また、ケース本体１０とケースキャップ２０とベース３０と濾材４０及びフィルターエレメント２とが、各々着脱自在に組立分解可能に設けられ，かつ、これらの全てが金属製であることで、フィルターエレメント２の濾材４０を簡単に取り外すことができ、洗浄して再利用できる。
【００４２】
また、濾材４０は複数層の金属製濾材を断面鋸歯状の略波形状に折曲形成し、全体を円筒状に形成され、かつ複数層の金属製濾材の網目がフィルターエレメント２の外側から内側へ順次小さく形成されてなることで、所定の濾過精度を確保すると共に、表面強度を保持して濾材４０の形状を維持することができる。
【００４３】
このようにフィルターエレメント２における濾材４０が、ステンレス製金網の断面鋸歯状の略波形状に折曲形成し全体を略円筒状に曲成しているから、長期間に渡る水のろ過により、濾材４０の網目に微小粒子等からなる不純物が目詰まりしてろ過機能が低下した場合に、濾材４０のみをフィルターエレメント２から取り外し、洗浄液により浸漬したり高温の水蒸気を吹き付けたり或いはブラッシング等の適宜な方法により、目詰まりして強固に付着したゴミ等からなる不純物を除去し清掃することにより、フィルターエレメト２の濾材４０として反復して半永久的に再使用可能となるから、濾材４０を廃棄する必要が全く無く、従って、限りのある資源を無駄にせず、自然に帰らない廃棄物を出さずに全く公害の発生の恐れのないフィルター１００ｂの再生使用が可能となる。
【００４４】
なお、上述した実施の形態においては、浄水器１００ａの入口Ｐ１は配管（水道管）を介してフィルター１００ｂに接続されている構成について説明したが、これに限定されるものではない。浄水器１００ａの入口Ｐ１とフィルター１００ｂの排出口３２とを直接に接続してもよい。
【００４５】
また、上述した実施の形態においては、エレメント端面６０に磁石８０を配置したものについて説明したが、これに限定されるものではない。エレメント端面７０に磁石８０を配置するようにしてもよい。また、２つのエレメント端面６０、７０の両方に磁石８０を配置するようにしてもよい。
【００４６】
また、上述した実施の形態においては、ベース３０の中空管状ボルト３３の周辺に複数の貫通孔３４が設けられている例について説明したが、これに限定されるものではない。１つの貫通孔３４を設けるようにしてもよい。
【００４７】
また、上述した実施の形態においては、フィルター１００ｂのベース３０を下に位置する方向に設置されているが、これに限定されるものではない。ベース３０を上に、ケースキャップ２０を下に位置する方向に設置するようにしてもよい。この場合、フィルター１００ｂは水道管より支持される。また、ネジ穴２１ａは排水口となり、一方、ベース３０の底面に設けられたネジ穴３９ａと、シール３９ｂを介してネジ穴３９ａに螺入されるネジ３９ｃとはエアー抜き手段となる。
【００４８】
また、上述した実施の形態においては、浄水装置として住宅用の浄水装置１００の例を説明したが、これに限定されるものではない。飲食等の店舗にも本発明を適用できる。
【産業上の利用可能性】
【００４９】
この発明は、住宅および飲食等の店舗において、水道水中に含まれる赤錆、微小鉄粉、懸濁物、細菌類等の有害物を除去し、衛生的な浄化水を提供する浄水装置として、浄水器の目詰まりを防ぎ、浄水器のカートリッジの交換サイクルを伸ばす目的に利用できる。
【符号の説明】
【００５０】
１  フィルターケース
２  フィルターエレメント
１０  ケース本体
１１，１２  ネジ部
１３  スベリ止めリブ
２０  ケースキャップ
２１  レンチ掛け部
２１ａ，３９ａ  ネジ穴
２２，３９ｂ  シール
２３，３９ｃ  ネジ
２４  ネジ部
２５  リングパッケージ
３０  ベース
３１  水道水入口
３２  排出口
３３  中空管状ボルト
３４  貫通孔
３５  取付用穴
３６  取付部
３７  ネジ部
３８  リングパッケージ
４０  フィルター
５０  フィルター保持筒
５１  小孔
６０  エレメント端面
６１  外周縁
６２  嵌合凹部
６３  ネジ穴
７０  エレメント端面
７１  ナット
７２  ネジ孔
８０  磁石
９０  リリーフバルブ
１００  住宅用浄水装置
１００ａ  浄水器
１００ｂ  フィルター
【図１】
2011224495.tif 000003
【図２】
2011224495.tif 000004
【図３】
2011224495.tif 000005
【手続補正書】
【提出日】平成22年7月26日(2010.7.26)
【手続補正１】
【補正対象書類名】特許請求の範囲
【補正対象項目名】全文
【補正方法】変更
【補正の内容】
【特許請求の範囲】
【請求項１】
多孔質中空糸膜、ナノ濾過膜、セラミックス、および活性炭から選ばれる濾材の少なくとも一種を内蔵したカートリッジを有する浄水器と、該浄水器の上流側に設置され、水中の不純物の除去を行うフィルターとを備え、
前記フィルターは、中空筒状体のケース本体と該ケース本体の上下両端に着脱自在に取付け固定されたケースキャップとベースとからなるフィルターケースと、該フィルターケースの内部に収納されて、前記ベースに着脱自在に取付け固定されたフィルターエレメントとを有し、
前記フィルターエレメントに、水中の赤錆、鉄粉を取り除くための磁石と、所定の水圧で開放するリリーフバルブとが設けられ、
前記ケースキャップと前記ベースにはそれぞれネジ穴と、該ネジ穴にシールを介して螺入されるネジとが設けられ、一方が空気を排出するエアー抜き手段となり、他方が排水手段となることを特徴とする浄水装置。
【請求項２】
前記磁石は、リング状に形成され、前記フィルターエレメントの端部に設けられ、
前記リリーフバルブは、前記磁石の中央部に配置されることを特徴とする請求項１に記載の浄水装置。
【請求項３】
前記ケース本体は、両端の内周面にネジ部が形成されると共に、外周面にスベリ止めリブが刻設され、
前記ケースキャップとベースとは、ケース本体のネジ部に螺合するためのネジ部が突設されると共に、リングパッケージが装着され、
前記フィルターエレメントは、金網を断面鋸歯状の略波形状に折曲形成し、全体を円筒状に形成した濾材と、２枚の円板体のエレメント端面を、該濾材に上下方向から両端に嵌合して着脱自在に取付け固定してなり、下方のエレメント端面の中心部には、フィルターを通過した水を排出するための開孔が設けられ、該開孔には、同心円に連通したネジ孔を有するナットが、下方のエレメント端面の外側に突設され、
前記ベースの上面に中空管状ボルトが突設され、前記ナットを前記中空管状ボルトに螺合して、前記フィルターエレメントが前記ベースに着脱自在に取付け固定されることを特徴とする請求項１または２に記載の浄水装置。
【請求項４】
前記フィルターエレメントの濾材は、複数層の金属製濾材を断面鋸歯状の略波形状に折曲形成し、全体を円筒状に形成され、かつ複数層の金属製濾材の網目がフィルターエレメントの外側から内側へ順次小さく形成されてなることを特徴とする請求項１乃至３のいずれか１項に記載の浄水装置。
【請求項５】
中空筒状体のケース本体と該ケース本体の上下両端に着脱自在に取付け固定されたケースキャップとベースとからなるフィルターケースと、該フィルターケースの内部に収納されて、前記ベースに着脱自在に取付け固定されたフィルターエレメントとを備え、
前記フィルターエレメントに、水中の赤錆、鉄粉を取り除くための磁石と、所定の水圧で開放するリリーフバルブとが設けられ、
前記ケースキャップと前記ベースにはそれぞれネジ穴と、該ネジ穴にシールを介して螺入されるネジとが設けられ、一方が空気を排出するエアー抜き手段となり、他方が排水手段となることを特徴とするフィルター。
【請求項６】
前記磁石は、リング状に形成され、前記フィルターエレメントの端部に設けられ、
前記リリーフバルブは、前記磁石の中央部に配置されることを特徴とする請求項５に記載のフィルター。
【請求項７】
前記ケース本体は、両端の内周面にネジ部が形成されると共に、外周面にスベリ止めリブが刻設され、
前記ケースキャップとベースとは、ケース本体のネジ部に螺合するためのネジ部が突設されると共に、リングパッケージが装着され、
前記フィルターエレメントは、金網を断面鋸歯状の略波形状に折曲形成し、全体を円筒状に形成した濾材と、２枚の円板体のエレメント端面を、該濾材に上下方向から両端に嵌合して着脱自在に取付け固定してなり、下方のエレメント端面の中心部には、フィルターを通過した水を排出するための開孔が設けられ、該開孔には、同心円に連通したネジ孔を有するナットが、下方のエレメント端面の外側に突設され、
前記ベースの上面に中空管状ボルトが突設され、前記ナットを前記中空管状ボルトに螺合して、前記フィルターエレメントが前記ベースに着脱自在に取付け固定されることを特徴とする請求項５または６に記載のフィルター。
【請求項８】
前記フィルターエレメントの濾材は、複数層の金属製濾材を断面鋸歯状の略波形状に折曲形成し、全体を円筒状に形成され、かつ複数層の金属製濾材の網目がフィルターエレメントの外側から内側へ順次小さく形成されてなることを特徴とする請求項５乃至７のいずれか１項に記載のフィルター。
【手続補正書】
【提出日】平成22年10月22日(2010.10.22)
【手続補正１】
【補正対象書類名】特許請求の範囲
【補正対象項目名】全文
【補正方法】変更
【補正の内容】
【特許請求の範囲】
【請求項１】
多孔質中空糸膜、ナノ濾過膜、セラミックス、および活性炭から選ばれる濾材の少なくとも一種を内蔵したカートリッジを有する浄水器と、該浄水器の上流側に設置され、水中の不純物の除去を行うフィルターとを備え、
前記フィルターは、中空筒状体のケース本体と該ケース本体の上下両端に着脱自在に取付け固定されたケースキャップとベースとからなるフィルターケースと、該フィルターケースの内部に収納されて、前記ベースに着脱自在に取付け固定されたフィルターエレメントとを有し、
前記フィルターエレメントに、水中の赤錆、鉄粉を取り除くための磁石と、所定の水圧で開放するリリーフバルブとが設けられ、
前記ケースキャップと前記ベースにはそれぞれネジ穴と、該ネジ穴にシールを介して螺入されるネジとが設けられ、一方が空気を排出するエアー抜き手段となり、他方が排水手段となり、
前記ケース本体は、両端の内周面にネジ部が形成されると共に、外周面にスベリ止めリブが刻設され、
前記ケースキャップとベースとは、ケース本体のネジ部に螺合するためのネジ部が突設されると共に、リングパッケージが装着され、
前記フィルターエレメントは、金網を断面鋸歯状の略波形状に折曲形成し、全体を円筒状に形成した濾材と、２枚の円板体のエレメント端面を、該濾材に上下方向から両端に嵌合して着脱自在に取付け固定してなり、下方のエレメント端面の中心部には、フィルターを通過した水を排出するための開孔が設けられ、該開孔には、同心円に連通したネジ孔を有するナットが、下方のエレメント端面の外側に突設され、
前記ベースの上面に中空管状ボルトが突設され、前記ナットを前記中空管状ボルトに螺合して、前記フィルターエレメントが前記ベースに着脱自在に取付け固定されることを特徴とする浄水装置。
【請求項２】
前記磁石は、リング状に形成され、前記フィルターエレメントの端部に設けられ、
前記リリーフバルブは、前記磁石の中央部に配置されることを特徴とする請求項１に記載の浄水装置。
【請求項３】
前記フィルターエレメントの濾材は、複数層の金属製濾材を断面鋸歯状の略波形状に折曲形成し、全体を円筒状に形成され、かつ複数層の金属製濾材の網目がフィルターエレメントの外側から内側へ順次小さく形成されてなることを特徴とする請求項１又は２に記載の浄水装置。